(57)【要約】  本発明は、高密度マルチレイヤ光ディスクと、それへの記録層別データ記録と、スペア領域管理方法に係り、ＢＤ−ＲＥ  Ｄｕａｌ  Ｌａｙｅｒ等のような高密度マルチレイヤ光ディスクに形成された複数の記録層を相互連係させたり、またはそれぞれの記録層を独立的に区分してデータを記録することができるようにする管理情報をマルチレイヤに適するように付加記録して管理したり、高密度マルチレイヤ光ディスクに形成された複数の記録層に内周スペア領域と外周スペア領域をそれぞれ区分して割り当てると共に、それぞれ割り当てられた複数のスペア領域を記録層にこだわらずに連係して用いたりまたは記録層別に区分して用いることができるようにする管理情報をマルチレイヤに適するように付加記録して管理することによって、高密度マルチレイヤ光ディスクに形成された複数の記録層をさらに效率的に使用及び管理して、各記録層にそれぞれ割り当てられた複数のスペア領域をより效率的に使用及び管理できるようにした。
2005529440.tif 000002
【特許請求の範囲】
【請求項１】
複数の記録層が形成された高密度マルチレイヤ光ディスクにおいて、
欠陥管理のために前記複数の記録層それぞれに区分して割り当てられる少なくとも一つのスペア領域と、
前記複数の記録層のうち少なくとも一つに含まれて、前記記録層を連係して用いるかまたは区分して用いるかを指示する管理情報を含む、少なくとも一つ特定領域と
を含む高密度マルチレイヤ光ディスク。
【請求項２】
前記管理情報は、各記録層に区分割り当てられたリードイン領域またはリードアウト領域に記録管理されるディスク限定構造情報とディスク情報のいずれかまたは双方に含めて記録されることを特徴とする請求項１記載の高密度マルチレイヤ光ディスク。
【請求項３】
前記ディスク限定構造情報は複数の記録層に区分して割り当てられたスペア領域を管理するためのスペア領域管理情報と欠陥リストを管理するための欠陥管理情報を含み、そのディスク限定構造情報が前記複数の記録層のうち少なくとも一つの記録層に記録されていることを特徴とする請求項２記載の高密度マルチレイヤ光ディスク。
【請求項４】
前記スペア領域管理情報には、スペア領域を記録層にこだわらずに連係して用いるかまたは記録層別に区分して用いることを指示する管理情報が付加記録されていることを特徴とする請求項３記載の高密度マルチレイヤ光ディスク。
【請求項５】
前記スペア領域管理情報には、各記録層のデータ領域内に区分割り当てられた内周スペア領域または外周スペア領域の記録大きさ情報と、該当スペア領域を使用可能か否かを示すためのスペア領域フルフラッグ情報が含まれて記録されることを特徴とする請求項４記載の高密度マルチレイヤ光ディスク。
【請求項６】
前記スペア領域フルフラッグ情報には、前記スペア領域を記録層にこだわらずに連係して用いるか、または記録層別に区分して用いることを指示する少なくとも２ビット以上の管理情報が含まれて記録されることを特徴とする請求項５記載の高密度マルチレイヤ光ディスク。
【請求項７】
前記ディスク限定構造情報には、前記スペア領域を使用可能か否かを示すためのスペア領域フルフラッグ情報とは別に、前記スペア領域を記録層にこだわらずに連係して用いるか、または記録層別に区分して用いることを指示する少なくとも２ビット以上の管理情報が含まれて記録されることを特徴とする請求項５記載の高密度マルチレイヤ光ディスク。
【請求項８】
前記ディスク限定構造情報は、各記録層別最終有効アドレスポインタ情報をさらに含み、、その最終有効アドレスポイント情報は検証された最終クラスタの１番目の物理的セクター番号を指定することを特徴とする請求項３記載の高密度マルチレイヤ光ディスク。
【請求項９】
前記ディスク情報は、前記複数の記録層に対するデータ記録動作を、各記録層にこだわらずに連係して実行するか、または記録層別に区分して実行することを指示するための記録層分離使用情報を含むことを特徴とする請求項２記載の高密度マルチレイヤ光ディスク。
【請求項１０】
前記記録層分離使用情報は、１ビットのフラッグで記録され、管理されることを特徴とする請求項９記載の高密度マルチレイヤ光ディスク。
【請求項１１】
複数の記録層が形成された高密度マルチレイヤ光ディスクにおいて、
前記複数の記録層にそれぞれ区分して割り当てられたデータ領域には、内周スペア領域と外周スペア領域がそれぞれ区分して割り当てられ、
前記スペア領域を記録層にこだわらずに連係して用いるか、または記録層別に区分して用いるかを指示する管理情報が、リードイン領域に付加記録されていることを特徴とする高密度マルチレイヤ光ディスク。
【請求項１２】
前記管理情報は、前記リードイン領域に含めて記録されるディスク限定構造情報に含まれることを特徴とする請求項１１記載の高密度マルチレイヤ光ディスク。
【請求項１３】
前記ディスク限定構造情報は、各記録層のデータ領域内に区分して割り当てられた内周スペア領域または外周スペア領域の記録大きさ情報と、該当スペア領域の使用可能の可否を示すスペア領域フルフラッグ情報とが含まれて記録されることを特徴とする請求項１２記載の高密度マルチレイヤ光ディスク。
【請求項１４】
前記スペア領域フルフラッグ情報は、前記スペア領域を記録層にこだわらずに連係して用いるかまたは記録層別に区分して用いるかを指示する少なくとも２ビット以上の管理情報を含むことを特徴とする請求項１３記載の高密度マルチレイヤ光ディスク。
【請求項１５】
前記ディスク限定構造情報は、前記スペア領域の使用可能の可否を示すためのスペア領域フルフラッグ情報とは別に、前記スペア領域を記録層にこだわらずに連係して用いるか、または記録層別に区分して用いるかを指示する少なくとも２ビット以上の管理情報を含むことを特徴とする請求項１３記載の高密度マルチレイヤ光ディスク。
【請求項１６】
前記管理情報は、スペア領域に記録する記録データがＡ／Ｖデータである場合、そのスペア領域に記録する動作を省略し、情報データである場合には、そのスペア領域に記録することを指示する情報であることを特徴とする請求項１４または１５に記載の高密度マルチレイヤ光ディスク。
【請求項１７】
記録層を連係して用いるかまたは区分して用いるかを指示する制御情報を含む、高密度マルチレイヤ光ディスクの少なくとも一つの特定領域に記録された、ディスク限定構造情報を読み出してメモリーに格納する１段階と、
前記制御情報に基づいて、記録層を連係して用いるかまたは区分して用いるかを決定する２段階と、
その結果に応答してデータ記録及び欠陥管理動作のいずれかまたは双方を実行する３段階と
を含むことを特徴とする記録層別データ記録方法。
【請求項１８】
前記２段階は、前記ディスク限定構造情報に含まれた制御情報を検索確認して、記録層を連係して用いるかまたは区分して用いるかを決定することを特徴とする請求項１７記載の記録層別データ記録方法。
【請求項１９】
前記３段階は、前記ディスク限定構造情報に含まれた制御情報を参照して、その結果によって任意の一記録層に対してだけデータ記録及び欠陥管理動作のいずれかまたは双方を実行することを特徴とする請求項１７記載の記録層別データ記録方法。
【請求項２０】
前記３段階は、前記ディスク限定構造情報に含まれた制御情報を参照して、その結果によって複数の記録層に対してデータ記録及び欠陥管理動作のいずれかまたは双方を実行することを特徴とする請求項１７記載の記録層別データ記録方法。
【請求項２１】
前記３段階は、
高密度マルチレイヤ光ディスクのデータ領域に、データを記録しながら欠陥を検出する段階と、
前記欠陥が検出されると、前記読み出したディスク限定構造情報内のスペア領域管理情報を検索確認する段階と、
前記確認されたスペア領域管理情報に基づいて、他の記録層に区分して割り当てられたスペア領域を連係して用いるかまたは現在の記録層に区分して割り当てられたスペア領域のみを区分して用いるかを決定する段階と、
任意の一スペア領域にデータを記録するとき、その欠陥を管理するための欠陥リストエントリを生成して記録し、管理する段階と
を含むことを特徴とする請求項２０記載の記録層別データ記録方法。
【請求項２２】
高密度マルチレイヤ光ディスクのデータ領域に、データを記録しながら欠陥を検出する１段階と、
前記欠陥が検出されると、前記高密度マルチレイヤ光ディスクのリードイン領域から読み出したスペア領域管理情報を確認する２段階と、
前記確認されたスペア領域管理情報に基づいて、他の記録層に区分して割り当てられたスペア領域を連係して用いるかまたは現在の記録層に区分して割り当てられたスペア領域のみを区分して用いるかを決定する３段階と
を含むことを特徴とするスペア領域管理方法。
【請求項２３】
前記２段階は、前記高密度マルチレイヤ光ディスクのリードイン領域から読み出したディスク限定構造（ＤＤＳ）情報内のスペア領域管理情報を確認することを特徴とする請求項２３記載のスペア領域管理方法。
【請求項２４】
前記３段階以後、任意の一スペア領域にデータを記録するとき、その欠陥を管理するための欠陥リストエントリを生成して記録し、管理する段階をさらに含むことを特徴とする請求項２３記載のスペア領域管理方法。
【請求項２５】
光記録媒体にデータを記録したり前記光記録媒体からデータを読み出すために少なくとも二つの記録層が相互に連係されるか否かを示す指示情報を含む、前記光記録媒体の領域に格納された制御情報を読み出す段階と、
前記制御情報に基づいて記録または読み出しを制御する段階と
を含む高密度マルチレイヤ光記録媒体管理方法。
【請求項２６】
光記録媒体にデータを記録したり前記光記録媒体からデータを読み出すために少なくとも二つの記録層が相互に連係されるか否かを示す指示情報を含む制御情報を前記光記録媒体に記録する段階と、
前記制御情報に基づいて記録または読み出しを制御する段階と
を含む高密度マルチレイヤ光記録媒体管理方法。
【発明の詳細な説明】
【技術分野】
【０００１】
本発明は、複数の記録層が形成された高密度マルチレイヤ光ディスクと、それへの記録層別データ記録と、高密度マルチレイヤ光ディスクのスペア領域管理方法に関する。
【背景技術】
【０００２】
最近、高画質のビデオデータと高音質のオーディオデータを記録することができる新しい高密度再記録可能光ディスク、例えば'Ｂｌｕ−ｒａｙ  Ｄｉｓｃ  Ｒｅｗｒｉｔａｂｌｅ'（以下、'ＢＤ−ＲＥ'とする。）に対する規格化作業が急速に進展し、関連製品が開発され市場に発表されて商用化されることが期待されている。
【０００３】
一般的なＢＤ−ＲＥシングルレイヤは、図１に示したように、一つのデータ記録層が、光ピックアップの対物レンズ１１に向かった方向に透明膜の表面から０．１ｍｍ程度離れた位置に形成されている。
【０００４】
ＢＤ−ＲＥシングルレイヤ  １００の記録層に記録されたデータを読み出して再生したり、または記録するための光ディスク装置は、データを記録しているとき、光ディスクのデータ領域に欠陥が見つかると、図２に示したように、データ領域内に区分して割り当てられている内周スペア領域（ＩＳＡ：Ｉｎｎｅｒ  Ｓｐａｒｅ  Ａｒｅａ）または外周スペア領域（ＯＳＡ：Ｏｕｔｅｒ  Ｓｐａｒｅ  Ａｒｅａ）に、データを代わりに記録するようになっている。
【０００５】
欠陥箇所の代わりにスペア領域に記録された記録ユニットブロック（ＲＵＢ：Ｒｅｃｏｒｄｉｎｇ  Ｕｎｉｔ  Ｂｌｏｃｋ）のクラスタを識別するための欠陥リストエントリ（ＤＦＬ  Ｅｎｔｒｙ）を生成して記録し、管理している。
【０００６】
このように使用されるスペア領域に対する管理情報は、図２に示したように、リードイン領域の再記録可能なディスク限定構造（ＤＤＳ：Ｄｉｓｃ  Ｄｅｆｉｎｉｔｉｏｎ  Ｓｔｒｕｃｔｕｒｅ）情報に含めて記録される。このＤＤＳ情報には、欠陥リストの１番目の物理的セクター番号（Ｆｉｒｓｔ  ＰＳＮ  ｏｆ  Ｄｅｆｅｃｔ  Ｌｉｓｔ（Ｐ_ＤＦＬ））情報、ユーザーデータ領域の論理的セクター番号‘０’の位置（Ｌｏｃａｔｉｏｎ  ｏｆ  ＬＳＮ  ０  ｏｆ  Ｕｓｅｒ  Ｄａｔａ  Ａｒｅａ）情報、ユーザーデータ領域の最終論理的セクター番号（Ｌａｓｔ  ＬＳＮ  ｏｆ  Ｕｓｅｒ  Ｄａｔａ  Ａｒｅａ）、内周スペア領域の記録大きさ（ＩＳＡ_ｓｉｚｅ）情報、外周スペア領域の記録大きさ（ＯＳＡ_ｓｉｚｅ）情報、各スペア領域にデータがすべて記録されたか否かを識別するためのスペア領域フルフラッグ（Ｓｐａｒｅ  Ａｒｅａ  Ｆｕｌｌ  Ｆｌａｇｓ）、そして最終有効であったアドレスポインタ（Ｌａｓｔ  Ｖｅｒｉｆｉｅｄ  Ａｄｄｒｅｓｓ  Ｐｏｉｎｔｅｒ）情報等を含む。
【０００７】
また、スペア領域フルフラッグは、１ビットの内周スペア領域フルフラッグ、１ビットの外周スペア領域フルフラッグ、そして６ビットの予備領域で構成された１バイトの記録大きさを有する。
【０００８】
したがって、光ディスク装置は、前述したように、光ディスクのデータ領域にデータを記録しているとき、欠陥が見つかると、ＤＤＳ情報に記録されたスペア領域フルフラッグを検索確認した後、データ記録が可能な内周スペア領域または外周スペア領域を選択して、そのスペア領域にデータを代わりに記録する一連のデータ記録動作を実施する。
【０００９】
一方、最近ではＢＤ−ＲＥシングルレイヤに比べて約２倍の大容量ビデオ及びオーディオデータを長時間記録することができる高密度マルチレイヤ光ディスク、例えばＢＤ−ＲＥデュアルレイヤが開発されている。図３に示したように、ＢＤ−ＲＥデュアルレイヤ  ２００に形成された第０記録層（Ｌａｙｅｒ  ０）と第１記録層（Ｌａｙｅｒ  １）は、所定の離隔間隔ｄ２を有し、基板の光ピックアップの対物レンズ１１に向かった方向に片寄った位置に形成される。
【００１０】
このＢＤ−ＲＥデュアルレイヤ  ２００の第０記録層と第１記録層は相互に連係して大容量のデータを記録することができる。第０記録層と第１記録層のデータ領域にはそれぞれ内周スペア領域と外周スペア領域が区分割り当てられている。しかし、ＢＤ−ＲＥデュアルレイヤ  ２００の第０記録層と第１記録層を各記録層別に区分して独立的に用いるられるようにする効率的な案がまだ用意されておらず、かつ、各記録層にそれぞれ区分して割り当てられた複数のスペア領域をさらに效率的に使用及び管理できる案もまだ用意されていないのが実情である。
【発明の開示】
【発明が解決しようとする課題】
【００１１】
したがって、本発明は前記のような実情を勘案して創作されたものであって、ＢＤ−ＲＷデュアルレイヤ等のような高密度マルチレイヤ光ディスクに形成された複数の記録層を相互連係させたり、またはそれぞれの記録層を独立的に区分してデータを記録及び管理できる高密度マルチレイヤ光ディスクと、ＢＤ−ＲＥデュアルレイヤ等のような高密度マルチレイヤ光ディスクにそれぞれ形成された複数の記録層に、内周スペア領域と外周スペア領域をそれぞれ区分して割り当てると共に、それぞれ区分して割り当てられた複数のスペア領域をさらに效率的に連係して用いたりまたは区分して用いることができるようにする高密度マルチレイヤ光ディスクを提供するとともに、それへの記録層別データ記録方法と、そのディスクのスペア領域管理方法を提供することが目的がである。
【課題を解決するための手段】
【００１２】
前記のような目的を達成するための本発明による高密度マルチレイヤ光ディスクは、複数の記録層が形成されて、欠陥管理のために前記複数の記録層それぞれに区分して割り当てられた少なくとも一つのスペア領域と、前記複数の記録層のうち少なくとも一つに含まれ、前記記録層を連係して用いるかまたは区分して用いるかを指示する管理情報を含む、少なくとも一つの特定領域とを含むことを特徴とする。
【００１３】
また、本発明による高密度マルチレイヤ光ディスクは、複数の記録層が形成されて、その複数の記録層にそれぞれ区分して割り当てられたデータ領域に内周スペア領域と外周スペア領域がそれぞれ区分して割り当てられると共に、前記スペア領域を記録層ごとにこだわらずに連係して用いるか、または記録層別に区分して用いるかを指示する管理情報がリードイン領域に付加記録されていることを特徴とする。
【００１４】
本発明による記録層別データ記録方法は、高密度マルチレイヤ光ディスクの少なくとも一つの特定領域に記録された、記録層を連係して用いるかまたは区分して用いるかを指示する制御情報を含むディスク限定構造情報を読み出してメモリに格納する１段階と、前記制御情報に基づいて、記録層を連係して用いるかまたは区分して用いるかを決定する２段階と、その結果に応じてデータ記録及び／または欠陥管理動作を実行する３段階とを含むことを特徴とする。
【００１５】
本発明によるスペア領域管理方法は、高密度マルチレイヤ光ディスクのデータ領域に、データを記録しながら欠陥を検出する１段階と、欠陥が検出されると、前記高密度マルチレイヤ光ディスクのリードイン領域から読み出したスペア領域管理情報を確認する２段階と、その確認されたスペア領域管理情報に基づいて、他の記録層に区分して割り当てられたスペア領域を連係して用いるか、または現在の記録層に区分して割り当てられたスペア領域のみを区分して用いることを決定する３段階とを含むことを特徴とする。
【００１６】
本発明による高密度マルチレイヤ光記録媒体管理方法は、光記録媒体の領域に格納されている、前記光記録媒体にデータを記録したり前記光記録媒体からデータを読み出すために少なくとも二つの記録層が相互に連係されているか否かを指示する指示情報を含む制御情報を読み出す段階と、前記制御情報に基づいて記録または読み出しを制御する段階とを含むことを特徴とする。
【００１７】
また、本発明による高密度マルチレイヤ光記録媒体管理方法は、光記録媒体にデータを記録したり前記光記録媒体からデータを読み出すために少なくとも二つの記録層が相互に連係されているか否かを指示する指示情報を含む制御情報を前記光記録媒体に記録する段階と、前記制御情報に基づいて記録または読み出しを制御する段階と含むことを特徴とする。
【発明を実施するための最良の形態】
【００１８】
以下、本発明による高密度マルチレイヤ光ディスクと、それによる記録層別データ記録方法とスペア領域管理方法とに対する望ましい実施形態を添付した図面を参照して詳細に説明する。
【００１９】
本発明による高密度マルチレイヤ光ディスク、例えばＢＤ−ＲＥデュアルレイヤ  ２００は、図４に示したように、第０記録層にリードイン領域と第１記録層にリードアウト領域が区分して割り当てられている。また第０記録層のデータ領域には、第０内周スペア領域（ＩＳＡ０）と第０外周スペア領域（ＯＳＡ０）、そして第１記録層のデータ領域には、第１内周スペア領域（ＩＳＡ１）と第１外周スペア領域（ＯＳＡ１）が区分割り当てられている。
【００２０】
このように各記録層のデータ領域にそれぞれ区分して割り当てられる複数のスペア領域を管理するための管理情報と、欠陥を管理するための欠陥管理情報とは、第０記録層のリードイン領域と第１記録層のリードアウト領域に、再記録可能なＤＤＳ情報としてそれぞれ記録管理される。
【００２１】
このＤＤＳ情報には、図５に示したように、第０記録層の欠陥リストの１番目の物理的セクター番号（Ｆｉｒｓｔ  ＰＳＮ  ｏｆ  Ｄｅｆｅｃｔ  Ｌｉｓｔ  ｆｏｒ  Ｌａｙｅｒ  ０（Ｐ_ＤＦＬ０））情報、第１記録層の欠陥リストの１番目の物理的セクター番号（Ｆｉｒｓｔ  ＰＳＮ  ｏｆ  Ｄｅｆｅｃｔ  Ｌｉｓｔ  ｆｏｒ  Ｌａｙｅｒ  １（Ｐ_ＤＦＬ１））情報、第０記録層のユーザーデータ領域の論理的セクター番号‘０’の位置（Ｌｏｃａｔｉｏｎ  ｏｆ  ＬＳＮ  ０  ｏｆ  Ｕｓｅｒ  Ｄａｔａ  Ａｒｅａ  ｆｏｒ  Ｌａｙｅｒ  ０）情報、第１記録層のユーザーデータ領域の論理的セクター番号‘０’の位置（Ｌｏｃａｔｉｏｎ  ｏｆ  ＬＳＮ  ０  ｏｆ  Ｕｓｅｒ  Ｄａｔａ  Ａｒｅａ  ｆｏｒ  Ｌａｙｅｒ  １）情報、第０記録層のユーザーデータ領域の最終論理的セクター番号（Ｌａｓｔ  ＬＳＮ  ｏｆ  Ｕｓｅｒ  Ｄａｔａ  Ａｒｅａ  ｆｏｒ  Ｌａｙｅｒ  ０）、第１記録層のユーザーデータ領域の最終論理的セクター番号（Ｌａｓｔ  ＬＳＮ  ｏｆ  Ｕｓｅｒ  Ｄａｔａ  Ａｒｅａ  ｆｏｒ  Ｌａｙｅｒ  １）、第０内周スペア領域の記録大きさ（ＩＳＡ０_ｓｉｚｅ）情報、第０外周スペア領域の記録大きさ（ＯＳＡ０_ｓｉｚｅ）情報、第１内周スペア領域の記録大きさ（ＩＳＡ１_ｓｉｚｅ）情報、第１外周スペア領域の記録大きさ（ＯＳＡ１_ｓｉｚｅ）情報、各スペア領域にデータがすべて記録されたか否かを識別するためのスペア領域フルフラッグ（Ｓｐａｒｅ  Ａｒｅａ  Ｆｕｌｌ  Ｆｌａｇｓ）、第０記録層の最終有効であったアドレスポインタ（Ｌａｓｔ  Ｖｅｒｉｆｉｅｄ  Ａｄｄｒｅｓｓ  Ｐｏｉｎｔｅｒ  ｆｏｒ  Ｌａｙｅｒ  ０）情報、そして第１記録層の最終有効なアドレスポインタ（Ｌａｓｔ  Ｖｅｒｉｆｉｅｄ  Ａｄｄｒｅｓｓ  Ｐｏｉｎｔｅｒ  ｆｏｒ  Ｌａｙｅｒ  １）情報等が記録されている。
【００２２】
すなわち、ＤＤＳ情報には第０記録層と第１記録層を独立的に区分して使用及び管理できるようにするために、各記録層別スペア領域管理情報と欠陥管理情報がそれぞれ含まれている。
【００２３】
また、ＤＤＳ情報と共にリードイン領域及びリードアウト領域内に記録されるディスク情報には、第０記録層と第１記録層を区分して用いるかまたは連係して用いるかを指定する記録層分離使用（Ｌａｙｅｒ_Ｓｅｐａｒａｔｅ_Ｕｓｅ）情報が含まれている。例えば記録層分離使用情報を１ビットのフラッグ（Ｆｌａｇ）として記録し、管理することができる。Ｌａｙｅｒ_Ｓｅｐａｒａｔｅ_Ｕｓｅ＝'１’の場合、光ディスク装置では、各記録層を区分して任意の一記録層にだけデータを記録することになり、反面、Ｌａｙｅｒ_Ｓｅｐａｒａｔｅ_Ｕｓｅ＝'０’の場合には、各記録層を連係して複数の記録層にデータを連続的に長時間記録できるようになる。
【００２４】
ＤＤＳ情報に含まれたスペア領域フルフラッグは、１ビットの第０内周スペア領域フルフラッグ（ｂ０）、１ビットの第０外周スペア領域フルフラッグ（ｂ１）、１ビットの第１内周スペア領域フルフラッグ（ｂ２）、１ビットの第１外周スペア領域フルフラッグ（ｂ３）、そして２ビットのスペア領域ステート（Ｓｐａｒｅ  Ａｒｅａ  Ｓｔａｔｅ）情報（ｂ５  ｂ４）を含む。
【００２５】
スペース領域ステート情報は、例えば'ｂ５  ｂ４＝００'である場合、第０記録層と第１記録層にそれぞれ区分して割り当てられた第０内周及び外周スペア領域と第１内周及び外周スペア領域を、別々に区分して独立的に使用及び管理することを指示している。'ｂ５  ｂ４＝１１'である場合、第０記録層と第１記録層にそれぞれ区分して割り当てられた第０内周及び外周スペア領域と第１内周及び外周スペア領域を連係して使用及び管理することを指示している。
【００２６】
また、'ｂ５  ｂ４＝'０１'である場合、第０記録層に区分して割り当てられた第０内周及び外周スペア領域がすべて使用されたことを示し、'ｂ５  ｂ４＝'１０'である場合、第１記録層に区分して割り当てられた第１内周及び外周スペア領域がすべて使用されたことを示す。
【００２７】
これにより、光ディスク装置では、前記のようにＤＤＳ情報に含まれているスペア領域ステート（Ｓｐａｒｅ  Ａｒｅａ  Ｓｔａｔｅ）情報を確認して、第０記録層と第１記録層にそれぞれ区分して割り当てられた複数のスペース領域を区分して用いたり、または連係して用いることができる。
【００２８】
図６は、本発明によるスペア領域管理方法が適用される光ディスク装置に対する構成を示したものである。例えばＢＤ−ＲＥデュアルレイヤに信号を記録または再生するビデオディスクレコーダ（ＶＤＲ：Ｖｉｄｅｏ  Ｄｉｓｃ  Ｒｅｃｏｒｄｅｒ）のような光ディスク装置は、ＢＤ−ＲＥデュアルレイヤのような高密度マルチレイヤ光ディスク２００に記録された信号を読み出したり、または外部から入力されて信号処理されたデータストリームを記録するための光ピックアップ５０と、光ピックアップ５０から読み出した信号を再生するために信号処理したり、または外部から入力されたデータストリームを記録に適するデータストリームに変換するＶＤＲシステム５１と、外部から入力されるアナログ信号をエンコーディングして、ＶＤＲシステムに出力するエンコーダー５２を備えている。
【００２９】
図７は本発明による記録層別データ記録方法の動作フローチャートを示したものである。
【００３０】
光ディスク装置のＶＤＲシステム５１は、図７に示したように、高密度マルチレイヤ光ディスク、例えばＢＤ−ＲＷデュアルレイヤ２００が挿入されると、一連の光ディスクローディング動作を実行した後、リードイン領域をアクセスする（Ｓ１０）。
【００３１】
リードイン領域に記録されたディスク情報（ＤＩ）とディスク限定構造（ＤＤＳ）情報等を読み出して、装置内のメモリ（図示せず）に格納する（Ｓ１１）。このディスク限定構造情報には、図５を参照しながら説明したように、各記録層別スペース領域管理情報と欠陥管理（ＤＭＡ：Ｄｅｆｅｃｔ  Ｍａｎａｇｅｍｅｎｔ  Ａｄｄｒｅｓｓ）情報が含まれている。
【００３２】
以後、ＶＤＲシステム５１はユーザーからデータ記録動作が要求され、それを受信すると、ディスク情報またはディスク限定構造情報に含まれている記録層分離使用（Ｌａｙｅｒ_Ｓｅｐａｒａｔｅ_Ｕｓｅ）情報を検索し、確認する（Ｓ１２）。
【００３３】
その確認された記録層分離使用情報が、Ｌａｙｅｒ_Ｓｅｐａｒａｔｅ_Ｕｓｅ＝'１’の場合、各記録層を区分して任意の一記録層にだけデータを記録する記録層別区分使用モードに設定する（Ｓ１４）。その後、ユーザー要求によるデータ記録動作を任意の一記録層に対してだけ記録する一連のデータ記録動作を実行する（Ｓ１５）。
【００３４】
この時、ＶＤＲシステム５１は、ＤＤＳ情報に含まれている各記録層別スペース領域管理情報と欠陥管理情報のうち、当該記録層に対応する管理情報のみを選別して参照すると共に、その記録層のデータ領域内に欠陥が発生した場合、その記録層に区分して割り当てられたスペア領域のみを利用して、データを代わりに記録し、それによる欠陥リストエントリと欠陥管理情報を記録管理する一連の欠陥管理動作を実行する（Ｓ１６）。
【００３５】
また、ＶＤＲシステム５１は、確認された記録層分離使用情報が、Ｌａｙｅｒ_Ｓｅｐａｒａｔｅ_Ｕｓｅ＝'０’の場合、各記録層を相互連係してデータを記録する記録層間連係使用モードに設定する（Ｓ１７）。その後ユーザーが記録要求をしたデータを、各記録層を連係して用い、長時間記録する通常のデータ記録動作を実行する（Ｓ１８）。
【００３６】
この時、ＶＤＲシステム５１は、ＤＤＳ情報に含まれている各記録層別スペース領域管理情報と欠陥管理情報をすべて参照すると共に、記録層のデータ領域内に欠陥が発生する場合、その記録層に区分して割り当てられたスペア領域または他の記録層に区分して割り当てられたスペア領域を利用して、データを代わりに記録し、それによる欠陥リストエントリと欠陥管理情報をそれぞれ記録管理するマルチレイヤ全体に対する欠陥管理動作を実行する（Ｓ１９）。
【００３７】
参考までに、記録層分離使用（Ｌａｙｅｒ_Ｓｅｐａｒａｔｅ_Ｕｓｅ）情報は、ＤＤＳ情報内に含めることことができ、また前記記録層分離使用情報の値は、光ディスク装置を具備したユーザーまたは光ディスク製作者により任意に設定できるようにしてもよく、または特定値に固定することもできる。
【００３８】
そして、記録層分離使用情報を含んで記録されたディスク情報は、第０記録層のリードイン領域のみで記録され、管理されるようにすることができる。
【００３９】
図８は本発明によるスペア領域管理方法に対する動作フローチャートを示したものである。
【００４０】
光ディスク装置のＶＤＲシステム５１は、図８に示したように、高密度マルチレイヤ光ディスク、例えばＢＤ−ＲＥデュアルレイヤ２００が挿入されると、一連の光ディスクローディング（Ｌｏａｄｉｎｇ）動作を実行した後、リードイン領域をアクセスする（Ｓ２０）。
【００４１】
リードイン領域に記録されたディスク情報（ＤＩ）とディスク限定構造（ＤＤＳ）情報等を読み出して、装置内に備えたたメモリ（図示せず）に格納する（Ｓ２１）。この時ディスク限定構造情報には、図５を参照しながら説明したように、各記録層別スペース領域管理情報と欠陥管理（ＤＭＡ：Ｄｅｆｅｃｔ  Ｍａｎａｇｅｍｅｎｔ  Ａｄｄｒｅｓｓ）情報が含まれているので、結局各記録層に区分して割り当てられたスペア領域に対する管理情報がメモリに格納される。
【００４２】
その後、ＶＤＲシステム５１は、ユーザーからのデータ記録動作要求が受信すると（Ｓ２２）、それに応答してデータ記録動作を実行する（Ｓ２３）。それ以外の他の動作要求を受信した場合には、それに対応する一連の動作を実行する（Ｓ２４）。
【００４３】
本ＶＤＲシステム５１は、ユーザー要求によってデータ記録動作を実行中、記録層のデータ領域内に欠陥が存在した場合（Ｓ２５）、ＤＤＳ情報に含められて記録されたスペア領域フルフラッグを検索確認する。そのとき、図５を参照して説明したスペア領域ステート（Ｓｐａｒｅ  Ａｒｅａ  Ｓｔａｔｅ）情報を検索して確認する（Ｓ２６）。
【００４４】
その確認されたスペア領域ステート情報によって各記録層のスペア領域を連係して用いたり、または区分して用いる（Ｓ２７）。例えば、スペア領域ステート情報が、'ｂ５  ｂ４＝００'である場合、第０内周及び外周スペア領域と第１内周及び外周スペア領域を別々に区分して使用及び管理し、'ｂ５  ｂ４＝１１'である場合には、第０内周及び外周スペア領域と第１内周及び外周スペア領域を連係して使用及び管理する。
【００４５】
また、'ｂ５  ｂ４＝'０１'である場合、第０記録層に区分して割り当てられた第０内周及び外周スペア領域がすべて使用されたと判断し、'ｂ５  ｂ４＝'１０'である場合には、第１記録層に区分して割り当てられた第１内周及び外周スペア領域がすべて使用されたと判断して、他の記録層のスペア領域を連係して用いたり、または記録エラー発生を案内するＯＳＤ映像などを生成して出力し、ユーザーが確認できるようにする一連の動作を実行する。
【００４６】
また、ＶＤＲシステム５１は、前記の過程によってスペア領域に記録された記録ユニットブロック（ＲＵＢ）のクラスタを識別するための欠陥リストエントリ（ＤＦＬ  Ｅｎｔｒｙ）を生成して記録し、管理する（Ｓ２８）。その後データ記録が完了したか否かなどを確認して（Ｓ２９）、データ記録動作を終了するか、またはデータ記録動作を維持する。
【００４７】
図９は本発明によるスペア領域管理方法に対する他の実施形態によるディスク限定構造（ＤＤＳ）情報をテーブルの形態で示したものである。スペア領域ステート（Ｓｐａｒｅ  Ａｒｅａ  Ｓｔａｔｅ）情報は、ＤＤＳ情報に含まれるが、スペア領域フルフラッグ（Ｓｐａｒｅ  Ａｒｅａ  Ｆｕｌｌ  Ｆｌａｇｓ）でない別の記録フィールド、例えばＤＤＳ情報内に含くむ任意の一予備領域を利用して、スペア領域フルフラッグとは異なった記録フィールドに記録して、管理することができる。
【００４８】
また、スペア領域ステート情報は、データ領域内に欠陥が検出されたとき、スペア領域に記録しようとするデータが通常のリアルタイムＡ／Ｖデータである場合、そのスペア領域に記録する動作を省略し、コンピュータファイルデータ等のような情報データである場合には、そのスペア領域に記録する動作を実行することを指示する情報として記録管理されることもある。
【００４９】
参考までに、リードイン領域に含めて記録されるＤＤＳ情報を、リードアウト領域にも記録することができる。
【００５０】
記録層別データ記録方法にスペア領域管理方法を適用することもできる。前述した図７の記録層別データ記録方法に対する動作フローチャートの（Ｓ１３）段階でＬａｙｅｒ_Ｓｅｐａｒａｔｅ_Ｕｓｅの値が‘０’ならば、ＶＤＲシステム５１は各記録層を連係して複数の記録層にデータを連続的に記録する（Ｓ１７〜Ｓ１９）。この場合、ユーザー要求によってデータ記録動作を実行中その記録層のデータ領域内に欠陥が存在すると、前述したスペア領域管理方法を效率的に用いることができる。すなわち、欠陥が存在する場合、図７の（Ｓ１８）と（Ｓ１９）を図８の（Ｓ２３）、（Ｓ２５）〜（Ｓ２９）に置き換えることができる。
【００５１】
前記のように、本発明による高密度マルチレイヤ光ディスクと、それへの記録層別データ記録と、スペア領域管理方法によれば、高密度マルチレイヤ光ディスクに形成された複数の記録層をより效率的に使用及び管理して、各記録層にそれぞれ区分して割り当てられた複数のスペア領域をさらに效率的に使用及び管理できるようになる。
【００５２】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００５３】
【図１】一般的な再記録可能ブルーレイディスク（ＢＤ−ＲＥ）に対するディスク構造を示したものである。
【図２】一般的な再記録可能ブルーレイディスクのリードイン領域に記録管理されるディスク限定構造（ＤＤＳ）情報をテーブル形態で示したのである。
【図３】高密度デュアルレイヤ光ディスクに対するディスク構造を示したものである。
【図４】本発明による高密度デュアルレイヤ光ディスクのリードイン領域とリードアウト領域にディスク情報（ＤＩ）とディスク限定構造（ＤＤＳ）情報がそれぞれ含まれた状態を概念的に示したものである。
【図５】本発明による高密度デュアルレイヤ光ディスクのリードイン領域とリードアウト領域にそれぞれ記録管理されるディスク限定構造（ＤＳＳ）情報をテーブル形態で示したのである。
【図６】本発明による記録層別データ記録とスペア領域管理方法が適用される光ディスク装置に対する構成を示したものである。
【図７】本発明による記録層別データ記録方法に対する動作フローチャートを示したものである。
【図８】本発明によるスペア領域管理方法に対する動作フローチャートを示したものである。
【図９】本発明によるスペア領域管理方法に対する他の実施形態によるディスク限定構造（ＤＤＳ）情報をテーブル形態で示したことである。
【図１】
2005529440.tif 000003
【図２】
2005529440.tif 000004
【図３】
2005529440.tif 000005
【図４】
2005529440.tif 000006
【図５】
2005529440.tif 000007
【図６】
2005529440.tif 000008
【図７】
2005529440.tif 000009
【図８】
2005529440.tif 000010
【図９】
2005529440.tif 000011
【国際調査報告】
2005529440.tif 000012